(57)【要約】【課題】ヘルメット内部の静粛性を向上させ、かつ、着用者に不便さを感じさせないネックカバー及びヘルメットを得る。【解決手段】ヘルメット１０の開口部Ｑと着用者Ｐの首回りＰ１のすき間をなくすために、開口部Ｑの周縁に取り付けられたネックカバー４０の首の前部（のど元）を覆う部分に、ヘルメット１０の内側に取り付けられたあごひも２０を通すための挿通孔８６が形成されている。【選択図】図３
2018115410.tif 000002
【特許請求の範囲】
【請求項１】
ヘルメットにおいて装着者の頭部が挿入される開口部に取り付けられ、該開口部の周縁部から装着者側へ向かって張り出して、装着者側の内側周縁部分は、少なくとも、着用者の首の後部であるうなじから首の前部である喉元までの範囲を覆うように延在し、該喉元を覆う部分には、ヘルメットの内側に取り付けられたあごひもを挿通する左右一対の挿通孔が形成されているネックカバー。
【請求項２】
装着者のうなじを覆う部分と、装着者の首の左側部から喉元までを覆う部分と、装着者の首の右側部から喉元までを覆う部分と、を含んで構成されている請求項１記載のネックカバー。
【請求項３】
前記内側周縁部分が、該内側周縁部よりも装着者とは離間する側の部分に比べて柔軟性を有している請求項１又は請求項２のネックカバー。
【請求項４】
ヘルメットの内側に取り付けられ、着用者と接触するクッション材と、
前記クッション材と一体化された請求項１〜請求項３のいずれか１項に記載のネックカバーと、
を備えたヘルメット。
【発明の詳細な説明】
【技術分野】
【０００１】
本発明は、ヘルメット用のネックカバー及びヘルメットに関する。
【背景技術】
【０００２】
ヘルメットは、万一の事故発生の際に頭部を保護するために着用する。そして、ヘルメットの保護性能を発揮させるためには、頭部をヘルメットの開口部から入れてヘルメットを装着した後は、あごひもをアゴの下でしっかり結び、ヘルメットを頭部に固定しなければならない。
【０００３】
また、自動二輪車用のヘルメットの場合は、エンジン音、排気音、風切音等、自動二輪車の走行時に発生する耳障りな各種の騒音をある程度遮断する機能も果たしている。これ等の騒音のうち、エンジン音や排気音は比較的高い周波数成分を含むため、ヘルメットを通過する際にかなり低減される。これに対して、風切音は、比較的低い周波数成分を含んでいる。そのため、ヘルメットを通過しても低減し難く、乗員にとっては大きな悩みの種になっている。
【０００４】
風切音には、自動二輪車の車体や乗員の身体と空気との摩擦によって発生する音や、ヘルメット下端の着用のための開口部から侵入する風の音が含まれる。そこで、ヘルメット内部の静粛性を高めるためには、ヘルメットの密閉性を高めて、音や風の侵入を遮断する必要がある。そのために、ヘルメットの開口部と、着用者の首とのすき間から音や風が侵入するのを防ぐ工夫が行われてきた。下記特許文献１には、ヘルメットの下端の全周囲を囲うスクリーンが示されている。防寒対策も兼ねているのだが、スクリーンの面積が大きすぎるために、ヘルメットの重量が重くなり、着用者の首への負担が大きくなる。
【０００５】
また、特許文献２には、伸縮性のある材料で作られたシート材をヘルメットの下端の全周囲に取り付けて、着用者の首回り、および、アゴの下を覆う方法が示されている。ヘルメットを着脱する時は、アゴ部分のフラップを解除して、開口部を広げる。このようなヘルメットは、着脱が容易でなく、また、着用者が首を動かしにくいという不便さを着用者に感じさせる。
【０００６】
さらに、特許文献３には、ヘルメットの下端にＵ字状に着用者の首の周囲を覆うネックカバーが示されている。このようなネックカバーは、着用者が首を動かした時に、首の周囲とネックカバーとの間にすき間が生じ易い。
【先行技術文献】
【特許文献】
【０００７】
【特許文献１】特開昭６１-１７９３１４号公報
【特許文献２】米国特許第５，０９５，５５０号明細書
【特許文献３】特許第４５４５５７４６号公報
【発明の概要】
【発明が解決しようとする課題】
【０００８】
本発明は上記事実を考慮し、ヘルメットの開口部の密閉性を向上させることによって、ヘルメット内部の静粛性を向上させ、かつ、着用者に不便さを感じさせないネックカバー及びヘルメットを得ることが目的である。
【課題を解決するための手段】
【０００９】
請求項１記載のネックカバーは、ヘルメットにおいて装着者の頭部が挿入される開口部に取り付けられ、該開口部の周縁部から装着者側へ向かって張り出して、装着者側の内側周縁部分は、少なくとも、着用者の首の後部であるうなじから首の前部である喉元までの範囲を覆うように延在し、該喉元を覆う部分には、ヘルメットの内側に取り付けられたあごひもを挿通する左右一対の挿通孔が形成されている。
【００１０】
請求項１記載のネックカバーによれば、装着者が頭を開口部に入れてヘルメットを装着した後、着用者がネックカバーの挿通孔に通したあごひもをアゴの下で締結すると、あごひもがヘルメット全体をアゴの方へ引き寄せるので、ネックカバーが着用者の首の後部であるうなじに密着する。
また、ネックカバーの左右に存在する挿通孔があごひもによってそれぞれアゴの下へ向けて引っ張られるので、ネックカバーの左右側部の内側周縁部分が着用者の首回りの左右側面に引き寄せられることになる。そして、着用者の喉元には、締結されたあごひもによって、挿通孔を含むネックカバーの前方部分が密着する。
このようにして、着用者の首回りは、ネックカバーの内側周縁部分によって完全に覆われる。また、ネックカバーは、あごひもによって固定されているだけなので、着用者が首を動かすのを妨げない。さらに、ヘルメットを脱ぐ時は、あごひもの締結を解くと、喉元の前方部分はもちろんのこと、ネックカバーの内側周縁部分も同時に着用者の首から離れるので、容易にヘルメットを脱ぐことができる。
【００１１】
請求項２記載のネックカバーは、請求項１のネックカバーにおいて、装着者のうなじを覆う部分と、装着者の首の左側部から喉元までを覆う部分と、装着者の首の右側部から喉元までを覆う部分と、を含んで構成されている。
【００１２】
請求項２記載のネックカバーによれば、着用者の首の後部（うなじ）を覆う部分は、あごひもを締結すると、ヘルメット全体がアゴの方へ向かって引き付けられるので、容易に着用者の首の後部（うなじ）に密着する。
また、ネックカバーのその他の部分、即ち、着用者の首の左右側部から喉元までを覆う部分も前述の段落［００１０］に記載したようにして、着用者の首回りに密着する。
【００１３】
請求項３記載のネックカバーは、請求項１又は請求項２のネックカバーにおいて、前記内側周縁部分が、該内側周縁部よりも装着者とは離間する側の部分に比べて柔軟性を有している。
【００１４】
請求項３記載のネックカバーによれば、内側周縁部分がその他の部分よりも柔軟性を有している。これにより、あごひもを締結した際の張力をより有効に内側周縁部分へ伝えることができる。
【００１５】
請求項４記載のヘルメットは、ヘルメットの内側に取り付けられ、着用者と接触するクッション材と、前記クッション材と一体化された請求項１〜請求項３のいずれか１項に記載のネックカバーと、を備えている。
【００１６】
請求項４記載のヘルメットによれば、ネックカバーをヘルメットのクッション材と一体にすることにより、使用部品の点数も、組立工数をも減らすことができる。さらに、ヘルメットの重量も軽減できる。
【発明の効果】
【００１７】
以上説明したように、本発明に係るヘルメット用のネックカバー及びヘルメットは、ヘルメットの開口部と着用者の首回りとの間のすき間をなくし、ヘルメットの密閉性を向上させることができる、という優れた効果を有する。
【図面の簡単な説明】
【００１８】
【図１】本発明の実施形態に係るヘルメットを示す斜視図であり、シールドが開かれた状態を示している。
【図２Ａ】本発明の第一の実施例に係るヘルメットの開口部（底面）を示している。
【図２Ｂ】本発明の第二の実施例に係るヘルメットの開口部（底面）を示している。
【図３】本発明の実施形態に係るヘルメットを着用した状態を示している。
【図４】本発明の実施形態に係るヘルメットのネックカバーの例として、第二の実施例のネックカバーを下方側から見た底面図である。
【図５】本発明の実施形態に係るヘルメットのクッション材の構成を示すために、ヘルメットから取り外したセンターパッド、チークパッド、および、ヘルメットを示している。
【発明を実施するための形態】
【００１９】
図１〜図５を用いて本発明の実施形態に係るヘルメットについて説明する。なお、ヘルメットを使用している状態の装着者から見た前後方向前方側を矢印ＦＲで示し、右側及び左側をそれぞれ矢印ＲＨ及び矢印ＬＨで示し、上下方向上側を矢印ＵＰで示す。また、以下の説明で、単に前後、左右、上下の方向を示す場合は、ヘルメットを装着している状態の着用者から見た前後、左右、上下を示すものとする。
【００２０】
図１に示されるように、本実施形態のヘルメット１０は、着用のために頭を入れる開口部Ｑがヘルメットの下端にあり、着用者に視界を提供する開口窓４２がヘルメットの前面にあり、開口窓４２を開閉するためのシールド１８が回動可能に取り付けられている。
ヘルメット１０の外側は硬質材料のシェル１２で覆われ、その内側に、衝撃を吸収するためのライナー１４が固定されている。さらに、ライナー１４の内側には、ヘルメットの被り心地を良くするための各種クッション材が取付けられている。
図１では、開口窓４２からヘルメットの内部が見え、クッション材のうちの１つである、着用者の両頬に密着するチークパッド６０が示されている。
【００２１】
図２Ａは、第一の実施例のヘルメット１０を示している。また、図２Ａは、開口部Ｑにおけるネックカバー４０の位置を示している。
ネックカバー４０は、ヘルメット１０の開口部Ｑの周縁から内側へ向かって張り出し、Ｕ字型の形状を成して、着用者の首の後部（うなじ）から前部（のど元）まで、首回りの全周囲を覆うことができる。さらに、ネックカバー４０は、表側（ヘルメット１０の外側向き）を合成皮革などの丈夫で伸縮性のある材料で覆い、裏側（ヘルメット１０の内側向き）にパイル生地などの柔軟な材料で覆い、中間に発泡合成樹脂などの芯材を配しているので、着用者の首回りに密着し、かつ、ヘルメット１０の着脱や、首の動きの邪魔にならない。
【００２２】
また、図２Ｂは、第二の実施例のヘルメットを示している。
ここでは、Ｕ字型の形状のネックカバー４０を、中央部分のネックパッド５４Ｄと、その他の部分に分けて構成している。
そして、ネックパッド５４Ｄ以外の部分を，左側パッドと，右側パッドの二つに分けることで、少なくとも３つの部品からＵ字型の形状のネックカバー４０が構成されていることを示している。
【００２３】
しかし、左右のパッド部分（左側パッド，右側パッド）をさらに分割することも可能である。
図２Ｂでは、左右のパッド部分をさらに、挿通孔８６を境目として、サブネックパッド６４及びサブカバー８４の２つの部品に分割している。
サブネックパッド６４が開口部Ｑの周縁に配され、開口部の内側へ向けて張り出し、サブカバー８４と縫製や接着などの方法で連結している。
【００２４】
さらに、図２Ａ及び図２Ｂでは、ネックカバー４０、または、サブネックパッド６４は、シェル１２とライナー１４との間に挟むことによって、ヘルメット１０に取り付けてある。
しかし、ネックカバー４０、または、サブネックパッド６４は、チークパッド６０（図１参照）のようなクッション材のように、ライナー１４の内側にホック止めしてもよい。または、クッション材の内側に配置して、直接、クッション材に、ファスナー止めや、ホック止めをすることが可能である。
要するに、着用者の首回りを覆うようにネックカバー４０を構成できれば、取付け位置
や、取付け方法は制限を受けないのである。
ただし、好ましくは、洗濯や消耗品の交換のために、ネックカバー４０、または、サブネックパッド６４は、脱着可能に取り付けられていることが望ましい。
【００２５】
図３は、本発明の実施形態に係るヘルメット１０が着用者Ｐに装着され、あごひも２０を締結した状態を斜め下方側から着用者の右側を見た斜視図が示されている。
あごひも２０を締結することにより、ヘルメット全体をアゴの方へ引き寄せるので、ネックカバー４０（図２Ａ参照）の後部、または、ネックパッド５４Ｄ（図２Ｂ参照）が着用者の首の後部に密着する。
また、ネックカバー４０、または、サブネックパッド６４の前方部分の左右に存在する挿通孔８６があごひも２０によってそれぞれアゴの下へ向けて引っ張られるので、ネックカバー４０の左右側部の内側周縁部分、または、左右のサブカバー８４の内側周縁部分が着用者の首回りＰ１の左右側面にそれぞれ引き寄せられることになる。さらに、着用者の喉元には、締結されたあごひもによって、挿通孔８６を含むネックカバー４０の前方部分、または、サブカバーの前方の端部８４Ａ（図４参照）が密着するので、着用者の首回りＰ１は、完全に密閉される。（図３参照）
【００２６】
図４は、第二の実施例の右側パッド７０Ｒを示したものである。
右側パッド７０Ｒをサブネックパッド６４およびサブカバー８４の二つの部分に分けている。サブカバー８４は、着用者の首回りＰ１に密着するための内側周縁部分を含むので、サブネックパッド６４よりも柔軟で伸縮性のある材料で作られることが望ましい。
段落［００２１］で説明したように、ネックカバー４０は、表側に合成皮革などの丈夫で耐久性のある材料を使用し、中間に発泡合成樹脂などの芯材を配して、裏側をパイル生地などで覆っている。
サブカバー８４は、表側に柔らかい材料を使用するか、または、ネックカバーと同じ材料であっても、薄いものを選び、また、裏側の生地を伸縮性のある材料に変えることで、着用者の首回りＰ１への密着性を向上させることができる。
また、サブカバー８４に挿通孔８６を設けることで、あごひも２０を締結した時の張力をより有効に、効率よく内側周縁部分へ伝えることができる。
【００２７】
また、右側パッド７０Ｒは、サブカバー８４の反対側の周縁部分に係止板８２が縫製等により取付けられ、そして、係止板８２の係止溝８２Ａが、シェル１２とライナー１４（図２Ａおよび図２Ｂ参照）の間に固定された図示しないボス部に係止される。
しかし、段落［００２４］で説明したように、取付け位置や、取付け方法は制限を受けないのである。
【００２８】
図５は、本発明の実施形態に係る第二の実施例のヘルメットから取り外したセンターパッド、チークパッド、そして、ヘルメット本体を示している。
【００２９】
チークパッド６０は、着用者の頬に沿って配置されるクッション材である。
図５では、チークパッド６０Ｒ（右側）が、右側パッド７０Ｒと縫製、接着、ホック留めなどにより一体化される。右側パッド７０Ｒは、段落［００２７］で説明したようにヘルメット１０に係止され、そして、チークパッド６０は、ヘルメット内部（ライナー１４の側面）にあるホック３６に係止される。
このようにして、右側パッド７０Ｒはヘルメットに脱着可能に取り付けられる。
また、図示しないが、左側パッド７０Ｌも同様にして取り付けられる。
【００３０】
センターパッド５４は、着用者の頭部（頭頂部、前頭部、および、側頭部）及び首の後部（うなじ）に沿ってそれぞれ配置されるクラウンパッド（図５の５４Ａ、５４Ｂ、および５４Ｃにわたる部分）及び、ネックパッド５４Ｄを備えている。
また、センターパッド５４は、前頭部配置部５４Ｂの下端部から前方側へ延出したところに前側係止部５４Ｆを備え、ライナー１４の前側に係止される。さらに、ネックパッド５４Ｄの裏側には、ホック３６が備えられ、ライナー１４の後側に係止される。
【００３１】
以上の説明のように、第二の実施例のネックカバーは、ヘルメット１０のクッション材と一体化することで、ヘルメットに着脱可能に取り付けることができる。
また、クッション材との一体化によって、使用部品の点数を減らし、ひいては、組立工数をも減らすことができる。さらに、ヘルメットの重量も軽減できる。
【００３２】
また、チークパッド６０とネックパッド５４Ｄを連結させれば、開口部Ｑの周縁にＵ字型の形状のクッションを形成することになる。そのＵ字型クッションにネックカバー４０を連結させると図２Ａの状態となる。
即ち、第一の実施例のネックカバーをヘルメットのクッション材と一体化することも可能である。
【００３３】
（本実施形態の作用並びに効果）
次に、本実施形態の作用並びに効果について説明する。
【００３４】
図２Ａ、図２Ｂ及び図３に示したように、本実施形態のネックカバー４０は、頭を開口部Ｑに入れてヘルメット１０を装着した後、ネックカバー４０の挿通孔８６に通したあごひも２０をアゴの下で締結すると、あごひも２０がヘルメット１０全体をアゴの方へ引き寄せるので、ネックカバー４０が着用者Ｐの首の後部に密着する。また、ネックカバー４０の左右に存在する挿通孔８６があごひも２０によってそれぞれアゴの下へ向けて引っ張られるので、ネックカバー４０の左右側部の内側周縁部分が着用者の首回りの左右側面に引き寄せられることになる。そして、着用者Ｐの喉元には、締結されたあごひも２０によって、挿通孔８６を含むネックカバー４０の前方部分が密着する。
このようにして、着用者Ｐの首回りＰ１は、ネックカバー４０の内側周縁部分によって完全に覆われる。また、ネックカバー４０は、あごひもによって固定されているだけなので、着用者Ｐが首を動かすのを妨げない。さらに、ヘルメット１０を脱ぐ時は、あごひも２０の締結を解くと、喉元の前方部分はもちろんのこと、ネックカバー４０の内側周縁部分も同時に着用者Ｐの首から離れるので、容易にヘルメットを脱ぐことができる。
【００３５】
なお、本実施形態の説明では、主に、自動二輪の乗車用ヘルメットを例に説明してきたが、上記のように、ヘルメットを装着するために頭を入れる開口部と、ヘルメットを保持するためのあごひもを備えるヘルメットであれば、本実施形態のネックカバーを用いることができる。
即ち、自転車用、スポーツ用、スノーモービル用、水上スキー用などのヘルメットに利用可能である。
【００３６】
以上、本発明の一実施形態について説明したが、本発明は、上記に限定されるものでなく、その主旨を逸脱しない範囲内において上記以外にも種々変形して実施することが可能であることは勿論である。
【符号の説明】
【００３７】
１０   ヘルメット
１２   シェル
１４   ライナー
１８   シールド
２０   あごひも
３６  ホック
４０  ネックカバー
４２  開口窓
５４  センターパッド
５４Ｄ  ネックパッド
６０   チークパッド
６０Ｌ  左側チークパッド
６０Ｒ  右側チークパッド
６４   サブネックパッド部
６４Ｌ  左側サブネックパッド
６４Ｒ  右側サブネックパッド
６８   サブネックパッド部（ネックパッド部）
７０Ｌ  左側パッド
７０Ｒ  右側パッド
８２Ａ  係止溝
８４   サブカバー
８４Ａ  サブカバーの前方の端部
８４Ｌ  左側サブカバー
８４Ｒ  右側サブカバー
８６   挿通孔
Ｐ    着用者
Ｐ１  着用者の首回り
Ｑ  開口部
【図１】
2018115410.tif 000003
【図２Ａ】
2018115410.tif 000004
【図２Ｂ】
2018115410.tif 000005
【図３】
2018115410.tif 000006
【図４】
2018115410.tif 000007
【図５】
2018115410.tif 000008